(57)【要約】      （修正有）【課題】運動機能の改善、身体能力のアップ、免疫力強化のために用いる足裏貼着用加圧治療具を提供する。【解決手段】少なくとも足裏の靱帯、湧泉、湧泉の近くの副腎皮質ホルモンを産生するつぼを加圧するように、刺激粒３を粘着シート２の粘着面２′に適宜間隔で多数貼着固定してなる。刺激粒３が、円形の基板の片面に突条部を一体的に形成し、中央の突条部を最も高くなすと共に中央部を除く両側の突条部を中央部において窪ませてなる刺激粒３を適宜間隔で多数固定する。また、外縁が粘着シート２の外縁より食みだす大きさを有し且つ粘着面１２の粘着力を粘着シート２の粘着面２′の粘着力よりも強くなしたカバー粘着シート１１を粘着シート２の背面に貼着する。【選択図】図１
0003155819.tif 000002
【実用新案登録請求の範囲】
【請求項１】
少なくとも足裏の靱帯、湧泉、湧泉の近くの副腎皮質ホルモンを産生するつぼを加圧するように、刺激粒を粘着シートの粘着面に適宜間隔で多数貼着固定してなる足裏用加圧治療具であって、該刺激粒が、円形の基板の片面に複数の突条部を一体的に形成してなる足裏貼着用加圧治療具。
【請求項２】
粘着シートが、足裏の靱帯、湧泉、湧泉の近くの副腎皮質ホルモンを産生するつぼに加えて、その他の足裏に点在するつぼをカバーする形状となした粘着シートである請求項１記載の足裏貼着用加圧治療具。
【請求項３】
刺激粒が、円形の基板の片面に平行して３本の突条部を一体的に形成し、該３本の突条部を、その中央の突条部を最も高くなすと共に中央部を除く両側の２本の突条部を中央部において窪ませてなる刺激粒である請求項１又は２記載の足裏貼着用加圧治療具。
【請求項４】
粘着シートの背面に、外縁が該粘着シートの外縁より所要の程度食みだす大きさを有し且つ粘着面の粘着力を該粘着シートの粘着面の粘着力よりも強くなしたカバー粘着シートを貼着してなる請求項１、２又は３記載の足裏貼着用加圧治療具。
【考案の詳細な説明】
【技術分野】
【０００１】
本考案は人体の足裏に存在する靱帯並びに副腎皮質ホルモンの産生を促進するつぼ、湧泉を始めとするその他のつぼ、更には足裏表面に点在する圧痛点に対して刺激を与えることにより、アレルギー性疾患、特にアトピー性皮膚炎の治療及び予防、更には運動機能の改善、身体能力のアップ、免疫力強化のために用いる足裏貼着用加圧治療具に関するものである。
【背景技術】
【０００２】
アレルギー疾患、とりわけアトピー性皮膚炎に悩む患者は実に多数に及び、斯かるアトピー性皮膚炎の症状は、主にかゆみを伴い、昼夜を問わず襲ってくるかゆみのために、実に耐えがたい苦しい思いをしているのが現状である。
【０００３】
また、斯かるアトピー性皮膚炎の予防又は治療の対策としては、現在、原因となる抗原を増量しながらステロイド薬等を使用し、過敏性を低下させる減感作療法が実施されているが、定期的に長期にわたってこれを続けることは容易なことではない。また、本考案者は、足裏には土踏まずの部分の靱帯、副腎皮質ホルモンの産生を促進するつぼ、湧泉を始めとするその他のつぼが存在しており、これらに加えて足裏表面に点在する圧痛点を刺激することにより、運動機能の改善、身体能力のアップ、免疫力強化に著効を奏することを知見し、本考案を案出することに成功したものである。
【０００４】
また、人体の皮膚表面には、圧痛点、つぼが点在し、そして斯かる圧痛点、つぼを加圧して刺激を与えると、血流が促進されて人体の有する自然治癒力が高められ、もって病状の改善や治療へ導くことができることは良く知られている通りである。
【考案の概要】
【考案が解決しようとする課題】
【０００５】
本考案は上記の点に鑑みなされたものであって、足裏部分に貼着することによって、足裏に存在する靱帯並びに副腎皮質ホルモンの産生を促進するつぼ、湧泉を始めとするその他のつぼ、更には足裏表面に点在する圧痛点に対して刺激を与えることにより、アレルギー性疾患、特にアトピー性皮膚炎の治療及び予防、更には運動機能の改善、身体能力のアップ、免疫力強化のために著効を奏する足裏貼着用加圧治療具を提供しようとするものである。
【課題を解決するための手段】
【０００６】
而して、本考案の要旨とするところは、少なくとも足裏の靱帯、湧泉、湧泉の近くの副腎皮質ホルモンを産生するつぼを加圧するように、刺激粒を粘着シートの粘着面に適宜間隔で多数貼着固定してなる足裏用加圧治療具であって、該刺激粒が、円形の基板の片面に複数の突条部を一体的に形成してなる足裏貼着用加圧治療具にある。
【０００７】
また、更に上記粘着シートを、足裏の靱帯、湧泉、湧泉の近くの副腎皮質ホルモンを産生するつぼに加えて、足裏に点在するその他多くのつぼをカバーする形状となした粘着シートとしてもよい。
【０００８】
また、上記構成において、それに用いる刺激粒としては、円形の基板の片面に平行して３本の突条部を一体的に形成し、該３本の突条部を、その中央の突条部を最も高くなすと共に中央部を除く両側の２本の突条部を中央部において窪ませてなる刺激粒を用いることが好ましい。
【０００９】
そしてまた、上記構成の粘着シートの背面に、外縁が該粘着シートの外縁より所要の程度食みだす大きさを有し且つ粘着面の粘着力を該粘着シートの粘着面の粘着力よりも強くなしたカバー粘着シートを貼着するようにしてもよい。
【考案の効果】
【００１０】
本考案は上記の如き構成であり、足裏部分に貼着することによって、人体の足裏の土踏まず部分に存在する靱帯並びに副腎皮質ホルモンの産生を促進するつぼ、湧泉を始めとするその他のつぼ、更には足裏表面に点在する圧痛点に対して刺激を与えることにより、アレルギー性疾患、特にアトピー性皮膚炎の治療及び予防、更には運動機能の改善、身体能力のアップ、免疫力強化を図ることができるものである。
【００１１】
更に、前記靱帯並びに副腎皮質ホルモンの産生を促進するつぼ、湧泉を始めとするその他のつぼに加えて、足裏表面に点在する圧痛点に対して刺激を与えることにより、アレルギー性疾患、特にアトピー性皮膚炎の治療及び予防を図ることができるものである。これにより、アレルギー疾患、とりわけアトピー性皮膚炎により、昼夜を問わず襲ってくるかゆみから解放することができるものである。
【００１２】
また、粘着シートの背面に、外縁が該粘着シートの外縁より所要の程度食みだす大きさを有し且つ粘着面の粘着力を該粘着シートの粘着面の粘着力よりも強くなしたカバー粘着シートを貼着するようになした場合には、粘着シートの刺激粒の周りの粘着面が汗等によってその粘着力が低下したとき、該粘着シートの剥落を、それを覆うカバー粘着シートの粘着力により防止することができるものである。
【図面の簡単な説明】
【００１３】
【図１】本考案の第１実施形態に係る足裏貼着用加圧治療具の表面図である。
【図２】同裏面図である。
【図３】刺激粒の斜視図である。
【図４】使用方法の説明図であり、（ａ）は左足用の足裏貼着用加圧治療具を左足の足裏に貼着した場合を、また（ｂ）は右足用の足裏貼着用加圧治療具を右足の足裏に貼着した場合を夫々示すものである。
【考案を実施するための形態】
【００１４】
以下、本考案を実施するための形態について、図面を参照して説明する。
【００１５】
図中、１は足裏貼着用加圧治療具である。また、該足裏貼着用加圧治療具１は、少なくとも足裏の靱帯、湧泉、湧泉の近くの副腎皮質ホルモンを産生するつぼをカバーする大きさとなした粘着シート２の粘着面２′に、円形の基板４の片面に複数の突条部５、６、７を一体的に形成してなる刺激粒３を適宜間隔で多数固定してなるものである。また、前記粘着シート２は、使用するまで刺激粒３、３、３・・・の基板４に対応する部分を切除した剥離シート（図示せず。）に貼着している。
【００１６】
また、本実施形態においては、粘着シート２を、少なくとも足裏の靱帯８、湧泉９、湧泉の近くの副腎皮質ホルモンを産生するつぼ１０をカバーする大きさとなした粘着シートとしている。
【００１７】
また、本実施形態においては、用いる刺激粒３として、円形の基板４の片面に平行して３本の突条部５、６、７を一体的に形成し、該３本の突条部５、６、７を、その中央の突条部６を最も高くなすと共に中央部を除く両側の２本の突条部５、７を中央部において窪ませてなる刺激粒としている。
【００１８】
而して、上記足裏貼着用加圧治療具１を使用するときには、粘着シート２を剥離シート（図示せず。）から引き剥がし、図４に示す如く、該粘着シート２を足裏部分に貼り付けるものである。これにより、少なくとも足裏の靱帯８、湧泉９、湧泉の近くの副腎皮質ホルモンを産生するつぼ１０及び足裏部分に点在する圧痛点、その他のつぼを刺激粒３、３、３・・・によって加圧し、刺激を与えることができるものである。もって、アレルギー性疾患、特にアトピー性皮膚炎の治療及び予防、更には運動機能の改善、身体能力のアップ、免疫力強化に極めて大きな効果を発揮するものである。
【００１９】
本実施形態では、上記構成の粘着シート２の背面に、外縁が該粘着シート２の外縁より所要の程度食みだす大きさを有し且つ粘着面１２の粘着力を該粘着シート２の粘着面２′の粘着力よりも強くなしたカバー粘着シート１１を貼着してなるものである。
【００２０】
これによれば、粘着シート２の粘着面２′が汗等によってその粘着力が低下したとき、該粘着シート２の剥落をそれを覆うカバー粘着シート１１の粘着力により防止することができるものである。
【００２１】
尚、本件足裏貼着用加圧治療具による運動機能の改善、身体能力のアップの実験を以下の通り行った。これによると、運動機能の改善、身体能力のアップの点において、顕著な効果が確認された。
〔実験例〕
被験者・・・６７歳・健康な男性・両足の足裏に本件考案品を貼着。
（１）開脚試験
貼着前        １７４ｃｍ
貼着後        １８３ｃｍ
（２）前屈試験
貼着前        指先が床につかなかった。
貼着後        両手の５本の指先が床についた。
（３）後屈試験
貼着前に比べ、貼着後は明らかに改善が見られた。
【符号の説明】
【００２２】
１  足裏貼着用加圧治療具
２  粘着シート
２′  粘着面
３  刺激粒
４  円形の基板
５、６、７  突条部
８  靱帯
９  湧泉のつぼ
１０  湧泉の近くの副腎皮質ホルモンを産生するつぼ
１１  粘着シート２の外縁より所要の程度食みだす大きさとなし且つ粘着面１１の粘着力を該粘着シート２の粘着面２′の粘着力よりも強くなして粘着シート２の背面に貼着したカバー粘着シート
１２  カバー粘着シート１１の粘着面
【図１】
0003155819.tif 000003
【図２】
0003155819.tif 000004
【図３】
0003155819.tif 000005
【図４】
0003155819.tif 000006